(57)【要約】【課題】封筒に封入される印刷物の印字内容に応じた折目位置を設定することが可能な折目位置制御装置を提供することを目的とする。【解決手段】封筒および封入される書類の情報を取得する封入情報取得手段と、前記書類に印字される項目と前記折目位置が重ならないようチェックする項目を取得するチェック項目取得手段と、前記封入情報取得手段により取得した封筒および封入される用紙の組合せに応じた所定の折目位置を設定する設定手段と、前記設定手段により設定された折目位置が前記チェック項目取得手段により取得した項目と重なるか否かを判定する重なり判定手段と、前記重なり判定手段により折目位置が重なると判定された場合に、折目位置を前記項目と重ならないよう調整する折目位置設定手段と、前記折目位置設定手段により調整設定された折目位置に識別可能な折目マークを付与する折目マーク付与手段と、を有する。【選択図】図４
2013134640.tif 000002
【特許請求の範囲】
【請求項１】
封筒に封入される用紙の折目位置を調整可能な折目位置制御装置であって、
封筒および封入される書類の情報を取得する封入情報取得手段と、
前記書類に印字される項目と前記折目位置が重ならないようチェックする項目を取得するチェック項目取得手段と、
前記封入情報取得手段により取得した封筒および封入される用紙の組合せに応じた所定の折目位置を設定する設定手段と、
前記設定手段により設定された折目位置が前記チェック項目取得手段により取得した項目と重なるか否かを判定する重なり判定手段と、
前記重なり判定手段により折目位置が重なると判定された場合に、折目位置を前記項目と重ならないよう調整する折目位置設定手段と、
前記折目位置設定手段により調整設定された折目位置に識別可能な折目マークを付与する折目マーク付与手段と、
を有することを特徴とする折目位置制御装置。
【請求項２】
前記封筒が窓あき封筒であった場合、前記取得するチェック項目は宛先欄であることを特徴とする請求項１記載の折目位置制御装置。
【請求項３】
前記取得するチェック項目は、前記書類に印字される記入欄であることを特徴とする請求項１または２記載の折目位置制御装置。
【請求項４】
前記折目位置設定手段は、予め設定された調整可能領域の範囲内で折目位置を調整することを特徴とする請求項１乃至３のいずれか１項に記載の折目位置制御装置。
【請求項５】
前記チェック項目は、ユーザにより指定を受付けることが可能なことを特徴とする請求項１乃至４のいずれか１項に記載の折目位置制御装置。
【請求項６】
封筒に封入される用紙の折目位置を調整可能な折目位置制御装置の制御方法であって、
封筒および封入される書類の情報を取得する封入情報取得ステップと、
前記書類に印字される項目と前記折目位置が重ならないようチェックする項目を取得するチェック項目取得ステップと、
前記封入情報取得ステップにより取得した封筒および封入される用紙の組合せに応じた所定の折目位置を設定する設定ステップと、
前記設定ステップにより設定された折目位置が前記チェック項目取得手段により取得した項目と重なるか否かを判定する重なり判定ステップと、
前記重なり判定ステップにより折目位置が重なると判定された場合に、折目位置を前記項目と重ならないよう調整する折目位置設定ステップと、
前記折目位置設定ステップにより調整設定された折目位置に識別可能な折目マークを付与する折目マーク付与手段と、
を有することを特徴とする折目位置制御装置の制御方法。
【請求項７】
封筒に封入される用紙の折目位置を調整可能な折目位置制御装置を、
封筒および封入される書類の情報を取得する封入情報取得手段と、
前記書類に印字される項目と前記折目位置が重ならないようチェックする項目を取得するチェック項目取得手段と、
前記封入情報取得手段により取得した封筒および封入される用紙の組合せに応じた所定の折目位置を設定する設定手段と、
前記設定手段により設定された折目位置が前記チェック項目取得手段により取得した項目と重なるか否かを判定する重なり判定手段と、
前記重なり判定手段により折目位置が重なると判定された場合に、折目位置を前記項目と重ならないよう調整する折目位置設定手段と、
前記折目位置設定手段により調整設定された折目位置に識別可能な折目マークを付与する折目マーク付与手段と、
を有することを特徴とする折目位置制御装置として機能させるためのプログラム。
【発明の詳細な説明】
【技術分野】
【０００１】
封筒内などに折って封入される印刷物に対して、折目位置を印刷する技術に関する。
【背景技術】
【０００２】
印刷物を折って封筒に封入し郵送などされることが日常的に行われている。例えば窓あき封筒のような場合、窓の部分に宛先や差出人などの情報が見えるように折り位置を決定する必要がある。
【０００３】
特許文献１には、封筒のサイズと用紙のサイズとから用紙を封筒内に封入するため、用紙に設ける折目マークの用紙上の位置を算出し、算出した位置にマークを印刷する技術が提案されている。
【先行技術文献】
【特許文献】
【０００４】
【特許文献１】特開２００１−８０１５２号公報
【発明の概要】
【発明が解決しようとする課題】
【０００５】
特許文献１の技術では、封筒のサイズと用紙のサイズおよび帳票の種類から定義された折目位置を利用して折目マークを付与している。
【０００６】
しかしながら、同じ帳票であっても印字される内容によっては、レイアウトが異なり折目を付けない方が望ましい場合などが考えられる。
【０００７】
例えば、申込書などが封入される場合、記入欄が折られてしまうと、記入の際、書込みにくくなるといったことも考えられる。また、小さな字が折目と重なってしまうと、見づらくなってしまうようなことも考えられる。
【０００８】
上記問題に鑑み、本願発明では、封筒に封入される印刷物の印字内容に応じた折目位置を設定することが可能な折目位置制御装置を提供することを目的とする。
【課題を解決するための手段】
【０００９】
封筒および封入される書類の情報を取得する封入情報取得手段と、前記書類に印字される項目と前記折目位置が重ならないようチェックする項目を取得するチェック項目取得手段と、前記封入情報取得手段により取得した封筒および封入される用紙の組合せに応じた所定の折目位置を設定する設定手段と、前記設定手段により設定された折目位置が前記チェック項目取得手段により取得した項目と重なるか否かを判定する重なり判定手段と、前記重なり判定手段により折目位置が重なると判定された場合に、折目位置を前記項目と重ならないよう調整する折目位置設定手段と、前記折目位置設定手段により調整設定された折目位置に識別可能な折目マークを付与する折目マーク付与手段と、を有する。
【発明の効果】
【００１０】
封筒に封入される印刷物の印字内容に応じた折目位置を設定することが可能な折目位置制御装置を提供することが可能となる。
【図面の簡単な説明】
【００１１】
【図１】本発明の実施形態における折目位置制御装置のシステム構成を示すシステム構成図である。
【図２】本発明の実施形態における折目位置制御装置のハードウェア構成を示すハードウェア構成図である。
【図３】本発明の実施形態における折目位置制御装置の機能構成を示す機能構成図である。
【図４】本発明に適用可能は封筒と封入物の一例を示す図である。
【図５】本発明に適用可能な封筒情報の一例を示す図である。
【図６】本発明に適用可能な封入物情報の一例を示す図である。
【図７】本発明の適用可能は封入物の折目位置情報の一例を示す図である。
【図８】本発明の実施形態における折目位置制御装置の全体処理の一例を示したフローチャートである。
【図９】本発明の実施形態における折目位置制御装置の折目チェック処理の一例を示したフローチャートである。
【図１０】本発明の実施形態における折目位置制御装置の折目位置変更処理の一例を示したフローチャートである。
【図１１】本発明の実施形態における印刷受付画面の一例を示す図である。
【図１２】本発明の実施形態におけるパターン情報の一例を示す図である。
【図１３】本発明の実施形態におけるエラー表示画面の一例を示す図である。
【図１４】本発明の実施形態におけるプレビュー画面の一例を示す図である。
【発明を実施するための形態】
【００１２】
以下図面を参照して、本発明の実施形態を説明する。
【００１３】
図１は、本発明の実施形態における折目位置制御装置のシステム構成を示すシステム構成図である。
【００１４】
折目位置制御装置１０１は印刷装置１０４と接続されており、印刷装置１０４から印刷することが可能となっている。
【００１５】
また、折目位置制御装置１０１は、折目制御プログラム１０２、および印刷制御プログラム１０３を有している。
【００１６】
折目制御プログラム１０２は、印刷物に折目位置を付与する機能を有する。印刷制御プログラム１０３は、折目プログラム１０２によって付与された折目位置を印刷制御する機能を有する。
【００１７】
また、折目位置制御プログラム１０２や印刷制御プログラム１０３をネットワークサーバ上に配置して、ブラウザなどでアクセスするようにすれば、折目位置制御装置にプログラムを備えなくても実現することができる。
【００１８】
その場合、折目位置制御装置には、ＰＣなどの情報処理装置を用いることが可能である。
【００１９】
図２は、本発明の実施形態における情報処理のハードウェア構成を示す図である。
【００２０】
図２に示すように、システムバス２１１を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、ＫＢＣ（Ｋｅｙｂｏａｒｄ  Ｃｏｎｔｒｏｌｌｅｒ）２０４、ＤＣ（Ｄｉｓｐｌａｙ  Ｃｏｎｔｒｏｌｌｅｒ）２０６、ＭＣ（Ｍｅｍｏｒｙ  Ｃｏｎｔｒｏｌｌｅｒ）２０８、ＮＷ  Ｉ／Ｆ（Ｎｅｔｗｏｒｋ  Ｉｎｔｅｒｆａｃｅ）２１０などが接続された構成となる。
【００２１】
ＣＰＵ２０１は、ＲＯＭ２０３の「プログラム用ＲＯＭ」に記憶されたプログラムに基づいてシステムバス２１１に接続された各デバイスを制御し、情報処理装置全体を統括制御する。また、このＲＯＭ２０３の「フォント用ＲＯＭ」にはフォントデータ等を記憶し、ＲＯＭ２０３の「データ用ＲＯＭ」には各種データを記憶する。
【００２２】
ＲＡＭ２０２は、ＣＰＵ２０１の主メモリ、ワークエリア等として機能する。
【００２３】
ＫＢＣ２０４は、キーボード２０５や不図示のポインティングデバイス、例えばマウスからの入力を制御する。
【００２４】
ＤＣ２０６は、ディスプレイ２０７の表示を制御する。なお、ディスプレイはＣＲＴであってもＬＣＤ等のその他の形式の表示装置であってもよい。
【００２５】
ＭＣ２０８は、ハードディスク２０９や不図示のフレキシブルディスク（ＦＤ）、ＣＤ−ＲＯＭ等とのアクセスを制御する。
ＮＷ  Ｉ／Ｆ２１０は、ネットワーク２１２を介して通信を行う。
【００２６】
図３は、本発明の実施形態における折目位置制御装置の機能構成を示す図である。
【００２７】
全体制御部３０１は、折目位置調整全体を制御するもので、入力部３０２、出力部３０３、折目位置制御部３０４、印刷制御部３０５、封入物情報記憶部３０６および折目位置情報記憶部３０７と連携して制御処理を行う。
【００２８】
入力部３０２は、ユーザからの印刷命令や用紙の種類の選択などの各種入力を受付ける。
【００２９】
出力部３０３は、各種処理部と全体制御部３０１により処理された結果を出力するものである。出力はネットワークを介して行うものや、直接接続された機器に対して行うものがある。不図示の印刷装置への印刷命令も出力部３０３が行う。
【００３０】
折目位置制御部３０４は、封入物情報記憶部３０６や折目位置情報記憶部３０７に記憶された条件から設定されるデフォルトの折目位置に対して、印字内容に応じて折目位置の変更などの制御を行う。折目位置をユーザ画面にプレビュー表示し、手動による折目の修正を受付けることも可能である。
【００３１】
印刷制御部３０５は、折目位置制御部３０４により決定された折目位置を印刷すべく出力部３０３を介して印刷装置に印刷の命令を出す。
【００３２】
封入物情報記憶３０６には、封筒の種類、封入物の種類やサイズや向きなどが記憶されている。封入物の種類により、宛先や差出人などの項目がどの位置に印刷されるのか等が設定されている。
【００３３】
折目位置情報記憶部３０７には、印刷物を封入する封筒の種類や封筒のサイズ、対応するデフォルトの折目位置などの情報が記憶されている。
図４は、本発明に適用可能は封筒と封入物の一例を示す図である。
封筒４０１と封入物４０３のイメージを示している。
【００３４】
窓あき部分４０２は、窓あき封筒に付されている部分であって、透明なビニールなどで封筒の中が見えるようになっている。例えば、窓あき封筒を利用する場合には、宛先４０４の部分を見えるように折目を設定する必要がある。
【００３５】
折目位置情報４０５は折目位置のマークであって、印刷物に印刷されるようになっている。デフォルトの位置は、封筒４０１と封入物４０３によって決定される。
【００３６】
封筒４０１は横向きのイメージであったのに対し、封筒４０７は縦向きのイメージである。この場合も封筒４０６と封入物４０７によってデフォルトの折目位置が決められる。
【００３７】
ここで、折目位置４０５で封入物４０３を上下に折った場合、住所の記入欄に折目が付いてしまう。このような位置の折目を避けたい場合、記入欄には折目がかからないような設定をしておけばよい。詳細については後述する。
図５は、本発明に適用可能な封筒情報の一例を示す図である。
封筒情報は、封入物情報記憶部３０６に記憶されている。
【００３８】
種類５０１は、封筒の種類が設定されている。本実施形態では、「Ａ封筒」「Ｂ封筒」が設定されているが、これより多くの種類の封筒を記憶可能なことはいうまでもない。
【００３９】
封筒サイズ（横）５０２および封筒サイズ（縦）５０３には、封筒のサイズが設定されている。窓枠位置５０４〜窓枠位置５０７は、窓あき部分５０８の座標が設定されている。
図６は、本発明に適用可能な封入物情報の一例を示す図である。
封入物情報は、封入物情報記憶部３０６に記憶されている。
【００４０】
封入物情報ヘッダー６１０として封入物の情報を保持している。保持している項目は、書類名称６１１、用紙６１２および用紙の向き６１３である。
【００４１】
封入物情報明細６２０では、書類名称６１１が、それぞれ有するオブジェクト名６２２を保持している。オブジェクトの位置は、オブジェクト位置６２３〜オブジェクト位置６２６の項目で、始点と終点が座標で示されている。
【００４２】
例えば書類１（６３０）の場合、宛先オブジェクトは、始点の座標ＸＹが（２．３，２．０）、終点のＸＹ座標が（１０．０，４．５）と設定されている。
【００４３】
また書類２（６４０）の場合、本文２オブジェクトは、始点の座標ＸＹが（１．９，１０．５）、終点のＸＹ座標が（２５．０，１８．０）と設定されている。
【００４４】
タイプ（項目）６２７は、オブジェクト名６２２と同じ項目が設定されている。
【００４５】
図７は、本発明の適用可能は封入物の折目位置情報の一例を示す図である。
折目位置情報７１０は、折目位置情報記憶部３０７に記憶されている。
【００４６】
書類名称７１１で指定される書類の種類と、封筒種類７１２で指定される封筒の種類の組合せに対して、折目位置７１３〜折目位置７１６封入物の折目位置に関する設定がなされている。
【００４７】
折目位置はＸＹ座標で表されておいる。例えば書類１（７２０）は、封入物情報ヘッダー６１０で、Ａ４縦と設定されており、折目位置１はＸＹ座標で（０．０，１１．５）、折目位置２はＸＹ座標（０．０，２３．２）と設定されており、図のような線に沿って折られるように折目位置が設定される。
【００４８】
同様に書類２（７３０）は、Ａ４横で、折目位置情報に従うと図のような折目位置が設定される。
【００４９】
誤差可能範囲７１７〜誤差可能範囲７１８には、Ｘ座標とＹ座標に対して許可されている。
【００５０】
例えば、書類１において誤差可能範囲Ｙ（７１８）は０．７となっているので、上下に０．７ずつ調整可能なことを示す。調整可能な範囲は、本実施形態では、上下としているが、上方向だけや下方向だけに限定することも可能である。
【００５１】
図８は、本発明の実施形態における折目位置制御装置の全体処理の一例を示したフローチャートである。
【００５２】
ステップＳ８０１では、後述する印刷受付画面より印刷物の組合せを含む印刷情報を取得する。
【００５３】
ステップＳ８０２では、入力された印刷情報で指定された封筒および封入物関する情報を取得する。
【００５４】
ステップＳ８０３では、印刷受付画面でチェックされた折目を重ねない項目を取得する。
【００５５】
ステップＳ８０４では、折目位置の調整を行う折目チェック処理を行う。
【００５６】
ステップＳ８０５で、折目チェックの結果、折目位置が決定されたか否かを判定し、決定されなかった（すなわちエラー）であった場合は、ステップＳ８０６に進み、折目の修正用のプレビュー画面を表示する。
【００５７】
一方、エラーがなかった場合は、ステップＳ８０７に進む。印刷制御処理を行う。ステップＳ８０７では、折目位置変更処理または、修正用のプレビュー画面で修正された折目位置を印刷制御し処理を終了する。
【００５８】
図１１は、本発明の実施形態における印刷受付画面の一例を示す図である。
【００５９】
印刷受付画面１１０１は、折目位置制御装置上で専用のアプリケーションが起動されると表示される画面である。
【００６０】
また、本プログラムがサーバ上で実行されている場合は、ブラウザなどでサーバにアクセスすることでブラウザに表示させることも本発明に含まれるものとする。
【００６１】
封入物１１０２および封筒１１０３ではそれぞれ封入物と封筒の種類を入力する。また、プルダウンメニューなどで、封入物情報記憶部３０６に記憶されている種類を選択可能なようにしてもよい。
【００６２】
タイプ１１０４は、「宛名」「記入欄」「差出人」「本文」の各項目をチェック選択可能なようになっている。ここでチェックされた項目に対して折目が重ならないように折目位置を付与するような制御を行う。
【００６３】
なお、ここで表示される項目は、封入物叙法明細６２０に記憶されたタイプ（項目）６２７に設定されている項目が表示される。
【００６４】
「宛名」の場合、窓あき封筒などを利用する場合に、折目と重なってしまうと、宛名が正常に窓から見えなくなってしまう。このため、窓あき封筒を利用する時には有効である。封筒の種類で窓あき封筒が指定された場合には、この項目が自動でチェックされるようにしてもよい。
【００６５】
「記入欄」の場合、受け取った人が記入欄に記入するケースが考えられる。この場合、折目が入ってしまうと記入しづらくなってしまうことがある。このような事態を避けたい場合、記入欄にチェックをすると有効である。
【００６６】
「本文」の場合、本文に書かれている文字が小さいと、その文字に折目が重なってしまうと文字が読めなくなってしまう場合がある。そのような文書の場合、本文にチェックをすると有効である。
【００６７】
また、本文にチェックをした場合、所定のポイント数より小さな文字をチェック対象とするようなサブ画面を表示し、そこで指定されたポイントより小さい文字を対象とすることが可能となる。
印刷１１０５が押下されると、図８の処理が開始される。
【００６８】
読み込み１１０６が押下されると、パターン登録された封入物１１０２と封筒１１０３の組合せを選択する画面に遷移する。
【００６９】
図１２は、本発明の実施形態におけるパターン情報の一例を示す図である。
【００７０】
パターン情報表示画面１２０１に表示される封筒と封入物のパターンは事前に登録することが可能である。その場合、記憶された調整後の折目マークが表示され、デフォルトの折目位置（図７）は使われない。これにより、折目位置の調整の手間を省くことができる。
【００７１】
表示される組合せを選択し閉じる１２０２を押下することで図１１の画面に戻り、印刷１１０５が押下されることで印刷処理が開始される。
【００７２】
図９は、本発明の実施形態における折目位置制御装置の折目チェック処理の一例を示したフローチャートである。
図８のステップＳ８０４の折目チェック処理に対応する。
【００７３】
ステップＳ９０１で、封筒と封入物（書類）からデフォルトの折目位置を取得する。折目位置の取得は、封入物折目位置情報７１０から行う。
【００７４】
ステップＳ９０２では、デフォルトの折目位置が、チェック項目と重なるか否かを判定する。
【００７５】
重なる場合は、ステップＳ９０３に進み、折目位置変更処理を行い、ステップＳ９０４に進む。
【００７６】
一方、折目位置が重ならない場合はステップＳ９０４に進む。ステップＳ９０４では、現在の
折目位置を折目位置として決定しステップＳ９０５に進む。
【００７７】
ステップＳ９０５では、全ての折目位置のチェックが済んだか否かの判定を行い、全ての折目位置に対してチェックが済むまで処理を繰り返す。
全ての折目位置に対してチェックが完了したら処理を終了する。
【００７８】
図１０は、本発明の実施形態における折目位置制御装置の折目位置変更処理の一例を示したフローチャートである。
【００７９】
ステップＳ１００１で、印字可能領域を取得する。印字可能領域は、封入物折目位置情報７１０の誤差可能範囲Ｘ７１７および誤差可能範囲Ｙ７１８から取得する。
【００８０】
ステップＳ１００２では、折目位置が印字可能な領域があるか否かの判定を行う。印字可能があった場合はステップＳ１００４に進み、折目位置を修正し処理を終了する。
【００８１】
一方、印字可能領域が無かった場合は、ステップＳ１００３に進みエラーの内容を記憶する。例えば、「差出人」チェック項目となっていて、「差出人」が折目と重なってしまう場合、その旨を記憶して処理を終了する。
【００８２】
図１３は、本発明の実施形態におけるエラー表示画面の一例を示す図である。
【００８３】
図１０のステップＳ１００３で記憶された内容がメッセージ画面１３０１に表示されたものである。折目位置が「差出人」と重なってしまい自動調整できなかったことが分かる。
【００８４】
この場合、「ＯＫ」ボタン１３０２が押下されることにより手動で折目位置を調整可能な印刷プレビュー画面が表示される。
【００８５】
図１４は、本発明の実施形態におけるプレビュー画面の一例を示す図である。
【００８６】
プレビュー画面１４０１は、折目位置を手動で調整するためのプレビュー画面である。
【００８７】
折目線１４０３は、現在の折目位置として設定されている位置で折った場合の線を示している。設定可能領域１４０４は、誤差可能範囲を視覚的にわかるように幅を持たせて表示している。
【００８８】
ユーザは、折目線１４０３をマウスなどでドラッグして位置をずらすことで調整が可能となっている。
【００８９】
ここで調整が完了し印刷１４０２が押下されることで印刷が開始される。
【００９０】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９１】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００９２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９３】
この場合、記録媒体から読み出されたプログラム自体が本発明の新規な機能を実現することになり、そのプログラムを記憶した記録媒体は本発明を構成することになる。
【００９４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９８】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００９９】
なお、上述した各実施形態およびその変形例を組み合わせた構成も全て本発明に含まれるものである。
【符号の説明】
【０１００】
２０１  ＣＰＵ（Ｃｅｎｔｒａｌ  Ｐｒｏｃｅｓｓｉｎｇ  Ｕｎｉｔ）
２０２  ＲＡＭ（Ｒａｎｄｏｍ  Ａｃｃｅｓｓ  Ｍｅｍｏｒｙ）
２０３  ＲＯＭ（Ｒｅａｄ  Ｏｎｌｙ  Ｍｅｍｏｒｙ）
２０４  ＫＢＣ（Ｋｅｙｂｏａｒｄ  Ｃｏｎｔｒｏｌｌｅｒ）
２０５  キーボード
２０６  ＤＣ（Ｄｉｓｐｌａｙ  Ｃｏｎｔｒｏｌｌｅｒ）
２０７  ディスプレイ
２０８  ＭＣ（Ｍｅｍｏｒｙ  Ｃｏｎｔｒｏｌｌｅｒ）
２０９  ハードディスク
２１０  ＮＷ  Ｉ／Ｆ（Ｎｅｔｗｏｒｋ  Ｉｎｔｅｒｆａｃｅ）
２１１  システムバス
２１２  ネットワーク
【図１】
2013134640.tif 000003
【図２】
2013134640.tif 000004
【図３】
2013134640.tif 000005
【図４】
2013134640.tif 000006
【図５】
2013134640.tif 000007
【図６】
2013134640.tif 000008
【図７】
2013134640.tif 000009
【図８】
2013134640.tif 000010
【図９】
2013134640.tif 000011
【図１０】
2013134640.tif 000012
【図１１】
2013134640.tif 000013
【図１２】
2013134640.tif 000014
【図１３】
2013134640.tif 000015
【図１４】
2013134640.tif 000016